(57)【要約】【課題】  電極の構造が改善されたプラズマディスプレイパネルを提供する。【解決手段】  第１基板310と、これと平行に配置された第２基板320と、第１基板と第２基板との間に配置されて放電空間を区画する隔壁380と、隔壁内に塗布された赤、緑、青色の蛍光体層390と、放電空間内に配置された第１放電電極331,332と、第１放電電極とアドレッシングするようにこれと交差する方向に配置され、赤、緑、青色の蛍光体層が塗布された放電セル別に異なるサイズのウィンドウ364が形成された第２放電電極360と、を含む電極の構造が改善されたプラズマディスプレイパネルである。これにより、開口が形成されたウィンドウを有する放電電極が配置されているので、アドレッシングされる電極の面積を最小化して誤放電が防止され、アドレッシング時に低電流の駆動が可能である。【選択図】            図３
2006120609.tif 000002
【特許請求の範囲】
【請求項１】
第１基板と、
前記第１基板と平行に配置された第２基板と、
前記第１基板と第２基板との間に配置されて放電空間を区画する隔壁と、
前記隔壁内に塗布された赤、緑、青色の蛍光体層と、
前記放電空間内に配置された第１放電電極と、
前記第１放電電極とアドレッシングするように、これと交差する方向に配置され、赤、緑、青色の蛍光体層が塗布された放電セル別に異なるサイズのウィンドウが形成された第２放電電極と、を含むことを特徴とする電極の構造が改善されたプラズマディスプレイパネル。
【請求項２】
前記ウィンドウは、基板の一方向に配置された第２放電電極の一部を除去して形成されたことを特徴とする請求項１に記載の電極の構造が改善されたプラズマディスプレイパネル。
【請求項３】
前記第２放電電極は、隣接した放電セルを横切って配置された複数の放電電極ラインと、前記放電電極を一体に連結させた連結ラインと、を含み、前記ウィンドウは、隣接した連結ラインの間に形成された開口であることを特徴とする請求項２に記載の電極の構造が改善されたプラズマディスプレイパネル。
【請求項４】
前記連結ラインは、第１放電電極のアドレッシングされる部分と対応して配置されたことを特徴とする請求項３に記載の電極の構造が改善されたプラズマディスプレイパネル。
【請求項５】
前記第２放電電極は、パネルの一方向に沿って梯形に配置されたことを特徴とする請求項３に記載の電極の構造が改善されたプラズマディスプレイパネル。
【請求項６】
放電特性が相対的に不利な放電セルに配置された第２放電電極の連結ラインは、放電に相対的に有利な放電セルに配置された第２放電電極の連結ラインより第１放電電極のアドレッシングする部分の面積が広く形成されたことを特徴とする請求項３に記載の電極の構造が改善されたプラズマディスプレイパネル。
【請求項７】
前記ウィンドウは、赤、緑、青色の蛍光体層が塗布された放電セル別に基板の一方向に沿って交互して配置されたことを特徴とする請求項２に記載の電極の構造が改善されたプラズマディスプレイパネル。
【請求項８】
放電特性が相対的に不利な放電セルに配置された第２放電電極は、放電特性が相対的に有利な放電セルに配置された第２放電電極より面積が広く形成されたことを特徴とする請求項２に記載の電極の構造が改善されたプラズマディスプレイパネル。
【請求項９】
放電特性が相対的に不利な放電セルに形成されたウィンドウは、放電特性が相対的に有利な放電セルに形成されたウィンドウより面積が狭く形成されたことを特徴とする請求項２に記載の電極の構造が改善されたプラズマディスプレイパネル。
【請求項１０】
第１基板と、
前記第１基板と平行に配置された第２基板と、
前記第１基板と第２基板との間に配置されて放電空間を区画する隔壁と、
前記隔壁内に塗布された赤、緑、青色の蛍光体層と、
前記放電空間内に配置された第１放電電極と、
前記第１放電電極とアドレッシングするように、これと交差する方向に配置され、放電セルに沿ってウィンドウを形成し、ウィンドウが形成された部分は、放電セル別に異なって配置された第２放電電極と、を含むことを特徴とする電極の構造が改善されたプラズマディスプレイパネル。
【請求項１１】
前記ウィンドウは、第２放電電極の一部分を除去して形成されたことを特徴とする請求項１０に記載の電極の構造が改善されたプラズマディスプレイパネル。
【請求項１２】
前記ウィンドウは、赤、緑、青色の蛍光体層が塗布された放電セル別に異なるサイズに形成されたことを特徴とする請求項１１に記載の電極の構造が改善されたプラズマディスプレイパネル。
【請求項１３】
前記第２放電電極は、隣接した放電セルを横切って配置された複数の放電電極ラインと、前記放電電極ラインを互いに連結させて、前記基板の一方向に前記ウィンドウと交代で配置された連結ラインと、を含むことを特徴とする請求項１１に記載の電極の構造が改善されたプラズマディスプレイパネル。
【請求項１４】
前記連結ラインは、第１放電電極のアドレッシングする部分と対応するように配置され、放電特性が相対的に不利な放電セルに配置された連結ラインは、放電特性が相対的に有利な放電セルに配置された放電セルに配置された連結ラインより面積が広く形成されたことを特徴とする請求項１３に記載の電極の構造が改善されたプラズマディスプレイパネル。
【請求項１５】
放電特性が相対的に不利な放電セルに配置された第２放電電極は、放電特性が相対的に有利な放電セルに配置された第２放電電極より面積が広く形成されたことを特徴とする請求項１１に記載の電極の構造が改善されたプラズマディスプレイパネル。
【請求項１６】
前記ウィンドウの面積は、放電特性が相対的に不利な放電セルより、放電特性が相対的に有利な放電セルで狭く形成されたことを特徴とする請求項１１に記載の電極の構造が改善されたプラズマディスプレイパネル。
【請求項１７】
前記ウィンドウは、基板の一方向に沿って各放電セル別にジグザグ状に形成されたことを特徴とする請求項１０に記載の電極の構造が改善されたプラズマディスプレイパネル。
【請求項１８】
前記第１放電電極は、一対のＸ及びＹ電極からなり、前記第２放電電極は、これと交差するアドレス電極からなり、
前記アドレス電極は、放電セルの一側に配置された第１アドレス電極ラインと、放電セルの他側に配置された第２アドレス電極ラインと、前記第１及び第２アドレス電極ラインを連結する連結ラインと、を含み、前記ウィンドウは、前記連結ラインの間に配置された開口であることを特徴とする請求項１０に記載の電極の構造が改善されたプラズマディスプレイパネル。
【発明の詳細な説明】
【技術分野】
【０００１】
本発明は、プラズマディスプレイパネル（ＰＤＰ：Ｐｌａｓｍａ Ｄｉｓｐｌａｙ Ｐａｎｅｌ）に関わり、さらに詳細には、異なる放電特性を有する赤、緑、青色の蛍光体層が塗布された放電セルを同じレベルに調節できるように、電極の構造が改善されたＰＤＰに関する。
【背景技術】
【０００２】
ＰＤＰは、複数の放電電極が配置された対向する基板の間の密閉された放電空間内に放電ガスを注入して放電させ、これから発生する紫外線によって、蛍光体層を励起させて所望の数字、文字またはグラフィックを具現する平板表示装置である。
【０００３】
図１は、特許文献１に開示されたＰＤＰ １００の放電電極を拡大した図面であり、図２は、図１のＰＤＰ １００を切り取って示す図面である。
【０００４】
図１及び図２を参照すれば、前記ＰＤＰ １００は、ストライプパターンの隔壁１２０によって放電空間が区画され、各セルに対応して、一つのアドレス電極１４０と、一対の透明電極、すなわち、表示電極１６０及び走査電極１８０が備えられて、このセルの発光を独立的に制御する。
【０００５】
下部基板２１０には、複数のアドレス電極１４０がＸ軸方向に沿ってストライプパターンを形成し、アドレス電極１４０を覆いつつ下部基板２１０の全面に誘電体層２２０が形成されている。そして、誘電体層２２０上に各アドレス電極１４０の間に複数の隔壁１２０が所定の高さで提供されて、各アドレス電極１４０に対応する放電空間を区画させ、隔壁１２０によって区画された放電空間に赤、緑、青色の蛍光体層が塗布されている。
【０００６】
前記アドレス電極１４０は、表示電極１６０と対向する部分にアドレス電極物質が付着されていない非導電部１４０ａを含むが、前記非導電部１４０ａは、表示電極１６０に対応して１個ずつ備えられ、それぞれの非導電部１４０ａは、アドレス電極１４０に完全に取り囲まれるように、アドレス電極１４０の内部に形成されている。
【０００７】
前記のような構成で、特定の表示セルを選択放電する過程を説明すれば、次の通りである。
【０００８】
まず、アドレス電極１４０と走査電極１８０との間にアドレス電圧を印加すれば、放電空間にプラズマが形成されつつ、プラズマの電子及びイオンが自身と反対極性を有する電極側に移動し、アドレス電極１４０を覆う誘電体層２２０の表面に（−）極性の電荷が蓄積され、走査電極１８０を覆う透明誘電体層２３０には、（＋）極性の電荷が溜まる。
【０００９】
このとき、前記アドレス電極１４０は、表示電極１６０と対向する部分に減少した面積を有するため、アドレス区間から発生した電荷は、透明な誘電体層２３０の走査電極１８０部分と、アドレス電極１４０を覆う誘電体層２２０のうち、前記走査電極１８０と対向する部分とに集中的に蓄積され、実質的に前記非導電部１４０ａ上の誘電体層２２０の表面には電荷が溜まらない。
【００１０】
このように、前記非導電部１４０ａは、表示電極１６０に対向する誘電体層２２０の表面に電荷が溜まらなくするだけでなく、前記誘電体層２２０に溜まった電荷が表示電極１６０の方向に移動することを抑制し、表示電極１６０側の透明誘電体層２３０に壁電荷が生成されることを効果的に遮断する。
【００１１】
これにより、維持区間で走査電極１８０と表示電極１６０との間に放電維持電圧を印加して表示セルを選択放電する過程において、前述したように、表示電極１６０側に壁電荷が溜まらなくなれば、設計時、予想壁電圧と実際アドレス電圧との印加による壁電圧との誤差を最小化できる。
【００１２】
したがって、ＰＤＰ １００は、誤放電の可能性を最小化しつつ、維持区間で指定された表示セルのみを正確に発光させることができる。
【００１３】
しかし、従来のＰＤＰ １００は、ウィンドウが形成されたアドレス電極を採用して誤放電を多少改善するとしても、赤、緑、青色の蛍光体層による放電特性と、隣接した放電セルに配置された隣接するアドレス電極１４０との間の電場の影響を最小化するための設計が要求される。
【特許文献１】韓国特許公開第０３−１３０３６号明細書
【発明の開示】
【発明が解決しようとする課題】
【００１４】
本発明が解決しようとする目的は、同じ電圧の印加時にアドレス電流を低め、誤放電を防止し、色相別に異なる放電特性を有する放電セルを同じレベルに調節できるように、電極の構造が改善されたＰＤＰを提供することである。
【００１５】
本発明が解決しようとする他の目的は、隣接するアドレス電極の間の電場の干渉を最小化できるように、電極の構造が改善されたＰＤＰを提供することである。
【課題を解決するための手段】
【００１６】
前記目的を達成するために、本発明の一側面による電極の構造が改善されたＰＤＰは、第１基板と、前記第１基板と平行に配置された第２基板と、前記第１基板と第２基板との間に配置されて放電空間を区画する隔壁と、前記隔壁内に塗布された赤、緑、青色の蛍光体層と、前記放電空間内に配置された第１放電電極と、前記第１放電電極とアドレッシングするように、これと交差する方向に配置され、赤、緑、青色の蛍光体層が塗布された放電セル別に異なるサイズのウィンドウが形成された第２放電電極と、を含むことを特徴とする。
【００１７】
また、前記ウィンドウは、パネルの一方向に配置された第２放電電極の一部を除去して形成されたことを特徴とする。
【００１８】
さらに、前記第２放電電極は、隣接した放電セルを横切って配置された複数の放電電極ラインと、前記放電電極を一体に連結させた連結ラインと、を含み、前記ウィンドウは、隣接した連結ラインの間に形成された開口であることを特徴とする。
【００１９】
それと共に、放電特性が相対的に不利な放電セルに配置された第２放電電極の連結ラインは、放電に相対的に有利な放電セルに配置された第２放電電極の連結ラインより、第１放電電極のアドレッシングする部分の面積が広く形成されたことを特徴とする。
【００２０】
しかも、前記ウィンドウは、赤、緑、青色の蛍光体層が塗布された放電セル別に、基板の一方向に沿って交互して配置されたことを特徴とする。
【００２１】
さらに、放電特性が相対的に不利な放電セルに配置された第２放電電極は、放電特性が相対的に有利な放電セルに配置された第２放電電極より面積が広く形成されたことを特徴とする。
【００２２】
また、放電特性が相対的に不利な放電セルに形成されたウィンドウは、放電特性が相対的に有利な放電セルに形成されたウィンドウより面積が狭く形成されたことを特徴とする。
【００２３】
本発明の他の特徴による電極の構造が改善されたＰＤＰは、第１基板と、前記第１基板と平行に配置された第２基板と、前記第１基板と第２基板との間に配置されて放電空間を区画する隔壁と、前記隔壁内に塗布された赤、緑、青色の蛍光体層と、前記放電空間内に配置された第１放電電極と、前記第１放電電極とアドレッシングするように、これと交差する方向に配置され、放電セルに沿ってウィンドウを形成し、ウィンドウが形成された部分は、放電セル別に異なって配置された第２放電電極と、を含むことを特徴とする。
【００２４】
また、前記ウィンドウは、第２放電電極の一部分を除去して形成されたことを特徴とする。
【００２５】
しかも、前記ウィンドウは、赤、緑、青色の蛍光体層が塗布された放電セル別に異なるサイズで形成されたことを特徴とする。
【００２６】
さらに、前記第２放電電極は、隣接した放電セルを横切って配置された複数の放電電極ラインと、前記放電電極ラインを互いに連結させ、前記パネルの一方向に前記ウィンドウと交代で配置された連結ラインと、を含むことを特徴とする。
【００２７】
さらに、前記連結ラインは、第１放電電極のアドレッシングする部分と対応するように配置され、放電特性が相対的に不利な放電セルに配置された連結ラインは、放電特性が相対的に有利な放電セルに配置された放電セルに配置された連結ラインより面積が広く形成されたことを特徴とする。
【００２８】
それと共に、放電特性が相対的に不利な放電セルに配置された第２放電電極は、放電特性が相対的に有利な放電セルに配置された第２放電電極より面積が広く形成されたことを特徴とする。
【００２９】
また、前記ウィンドウの面積は、放電特性が相対的に不利な放電セルより、放電特性が相対的に有利な放電セルで狭く形成されたことを特徴とする。
【００３０】
また、前記第１放電電極は、一対のＸ及びＹ電極からなり、前記第２放電電極は、これと交差するアドレス電極からなり、前記アドレス電極は、放電セルの一側に配置された第１アドレス電極ラインと、放電セルの他側に配置された第２アドレス電極ラインと、前記第１及び第２アドレス電極ラインを連結する連結ラインと、を含み、前記ウィンドウは、前記連結ラインの間に配置された開口であることを特徴とする。
【発明の効果】
【００３１】
本発明の電極の構造が改善されたＰＤＰは、次のような効果が得られる。
【００３２】
第一に、開口状のウィンドウを有する放電電極が配置されているので、アドレッシングされる電極の面積を最小化して誤放電が防止され、アドレッシング時に低電流駆動が可能である。
【００３３】
第二に、赤、緑、青色の蛍光体層が塗布された放電セル別に放電電極の面積を異ならせることによって、放電特性を実質的に同じレベルに調整できる。
【００３４】
第三に、隣接する放電電極の間に電場の干渉を最小化することによって、安定的な放電特性を確保できる。
【発明を実施するための最良の形態】
【００３５】
以下、添付された図面を参照しつつ、本発明の一実施形態によるＰＤＰを詳細に説明する。
【００３６】
図３は、本発明の一実施形態によるＰＤＰ ３００の一部を切り取って示す図面である。
【００３７】
図面を参照すれば、前記ＰＤＰ ３００は、前面基板３１０と、前記前面基板３１０と平行に配置された背面基板３２０と、を含んでいる。前記前面及び背面基板３１０，３２０は、結合時、対向する内面のエッジに沿って塗布されるフリットガラスによって密閉された放電空間を形成する。
【００３８】
前記前面基板３１０は、透明な基板、例えば、ソーダ石灰ガラスからなる。前記前面基板３１０の下面には、パネル３００のＸ方向に沿って放電維持電極対が配置されている。
【００３９】
前記放電維持電極対は、パネル３００のＹ方向に沿って所定間隔離隔された状態で交互に配置されたＸ電極３３１と、Ｙ電極３３２とを含んでいる。前記Ｘ電極３３１は、前記前面基板３１０の内面に形成された第１透明電極ライン３３１ａと、前記第１透明電極ライン３３１ａと重畳された第１バス電極ライン３３１ｂとを含んでいる。前記Ｙ電極３３２は、第２透明電極ライン３３２ａと、前記第２透明電極ライン３３２ａと重畳された第２バス電極ライン３３２ｂとを含んでいる。
【００４０】
また、前記第１及び第２透明電極ライン３３１ａ，３３２ａは、一つの放電セル内に一対ずつ配置されており、前記第１及び第２透明電極ライン３３１ａ，３３２ａの内側壁から対向する透明電極ラインに向かって、放電セル内に第１及び第２突出部３３１ｃ，３３２ｃが突出している。前記第１及び第２突出部３３１ｃ，３３２ｃの間には放電ギャップが存在し、これらは、前記第１及び第２透明電極ライン３３１ａ，３３２ａと一体に形成されている。
【００４１】
これにより、前記第１透明電極ライン３３１ａ及びそれと結合された第１突出部３３１ｃ、または前記第２透明電極ライン３３２ａ及びそれと結合された第２突出部３３２ｃの形状は、それぞれ放電セルの一方向に配置された透明電極ラインの側壁から凹凸が形成された構造である。
【００４２】
このような第１及び第２透明電極ライン３３１ａ，３３２ａと、それと一体に形成された第１及び第２突出部３３１ｃ，３３２ｃとは、前面基板３１０の開口率を向上させるために透明な導電膜、例えば、ＩＴＯ（Ｉｎｄｉｕｍ Ｔｉｎ Ｏｘｉｄｅ）膜からなる。前記第１及び第２バス電極ライン３３１ｂ，３３２ｂは、前記第１及び第２透明電極ライン３３１ａ，３３２ａのライン抵抗を減らし、電気伝導性を向上させるために導電性に優れる金属材、例えば、銀ペーストやクロム−銅−クロム合金からなる。
【００４３】
一方、一対のＸ及びＹ電極３３１，３３２と、それと隣接した他の一対のＸ及びＹ電極３３１，３３２との間の領域は、非放電領域に該当する。このような非放電空間には、コントラストを向上させるためにブラックストライプ層がさらに形成されることもある。
【００４４】
前記Ｘ及びＹ電極３３１，３３２は、前面誘電体層３４０によって埋め込まれている。前記前面誘電体層３４０は、ガラスペーストに各種フィラーを添加してなる。前記前面誘電体層３４０は、前記Ｘ及びＹ電極３３１，３３２が形成された領域にのみ選択的に形成されることもあり、前記前面基板３１０の下面に全体的に形成されることもある。前記前面誘電体層３４０の表面には、その破損を防止し、２次電子放出量を増大させるために、マグネシウム酸化物（ＭｇＯ）のような保護膜層３５０が蒸着されている。
【００４５】
前記背面基板３２０上には、アドレス電極３６０が配置されている。前記アドレス電極３６０は、前記放電維持電極対（３３１と３３２）と交差する方向に配置されている。前記アドレス電極３６０は、背面誘電体層３７０によって埋め込まれている。
【００４６】
前記前面及び背面基板３１０，３２０の間には、これらと共に放電セルを限定する隔壁３８０が配置されている。前記隔壁３８０は、パネル３００のＸ方向に配置された第１隔壁３８１と、前記パネル３００のＹ方向に配置された第２隔壁３８２と、を含んでいる。前記第１隔壁３８１は、隣接した一対の第２隔壁３８２の内側壁から対向する方向に一体に延び、結合時にマトリックス型をなしている。
【００４７】
代案としては、前記隔壁３８０は、メアンダー型やデルタ型や、蜂の巣型など、多様な形態の実施形態が存在し、これにより区画された放電セルは、四角形以外に、他の形状の多角形や円形など何れか一つの構造に限定されるものではない。
【００４８】
一方、前記前面及び背面基板３１０，３２０と隔壁３８０とによって区画された放電セル内には、ネオン（Ｎｅ）−キセノン（Ｘｅ）やヘリウム（Ｈｅ）−キセノン（Ｘｅ）のような放電ガスが注入されている。
【００４９】
また、放電セル内には、放電ガスから発生した紫外線によって励起されて可視光線を放出する赤、緑、青色の蛍光体層３９０が塗布されている。前記赤、緑、青色の蛍光体層３９０は、放電セルのどの領域にも塗布されるが、本実施形態では、前記隔壁３８０の内側に塗布されている。このとき、赤色の蛍光体層は、（Ｙ,Ｇｄ）ＢＯ３：Ｅｕ＋３からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなることが望ましい。
【００５０】
ここで、前記アドレス電極３６０は、赤、緑、青色の蛍光体層３９０が塗布された放電セル内で異なるサイズのウィンドウを有し、各放電セル別にウィンドウが形成された部分が異なる線上に配置されている。
【００５１】
さらに詳細には、図４を参照して説明すれば、次の通りである。
【００５２】
図面を参照すれば、前記隔壁３８０は、パネル３００のＸ方向に配置された第１隔壁３８１と、パネル３００のＹ方向に配置された第２隔壁３８２と、を含み、前記第１及び第２隔壁３８１，３８２は、マトリックス型の放電空間を形成している。前記隔壁３８０に区画された各放電セル内には、赤、緑、青色の蛍光体層３９０が連続的に塗布されている。
【００５３】
単位放電セル内には、互いに対向して配置されたＸ及びＹ電極３３１，３３２と、前記Ｘ及びＹ電極３３１，３３２と交差する方向に配置されたアドレス電極３６０と、を含んでいる。
【００５４】
前記Ｘ電極３３１は、パネル３００のＸ方向に沿って、隣接した放電セルを横切って配置されており、単位放電セルの一辺、すなわち、パネル３００のＹ方向の下側に配置されている。前記Ｙ電極３３２は、パネル３００のＸ方向に沿って延びており、単位放電セル内でＸ電極３３１と逆になる位置であるパネル３００のＹ方向の上側に配置されている。
【００５５】
前記Ｘ電極３３１には、第１透明電極ライン３３１ａから前記Ｙ電極３３２に向かうように所定形状、例えば、四角形の第１突出部３３１ｃが突出しており、前記Ｙ電極３３２には、第２透明電極ライン３３２ａから前記Ｘ電極３３１に向かって四角形の第２突出部３３２ｃが突出しており、前記第１及び第２突出部３３１ｃ，３３２ｃは、互いに接しておらず、所定間隔離隔されて、その間に放電ギャップを形成している。
【００５６】
このとき、放電セル内で前記Ｘ及びＹ電極３３１，３３２と交差する方向にアドレス電極３６０が配置されている。前記アドレス電極３６０は、放電セルごとに一つずつ配置されており、パネル３００のＹ方向に位置している。
【００５７】
このようなアドレス電極３６０は、単位放電セルの一辺、すなわち、パネル３００のＸ方向の左側部分に配置された第１アドレス電極ライン３６１と、単位放電セルの他辺、すなわち、パネル３００のＸ方向の右側部分に配置された第２アドレス電極ライン３６２と、前記第１及び第２アドレス電極ライン３６１，３６２を連結する連結ライン３６３と、を含んでいる。
【００５８】
すなわち、前記第１アドレス電極ライン３６１は、ストライプ型であり、パネル３００のＹ方向に隣接した放電セルを横切って配置されている。また、前記第２アドレス電極ライン３６２もストライプ型であり、パネル３００のＹ方向に延びている。
【００５９】
また、各単位放電セルで、前記連結ライン３６３は、第１アドレス電極ライン３６１の内側壁から前記第２アドレス電極ライン３６２に延びている。前記連結ライン３６３は、前記Ｙ電極３３２の第２突出部３３２ｃと対応する所に配置されている。
【００６０】
このとき、前記連結ライン３６３の幅は、単位放電セル全体をカバーできるほどではなく、第１及び第２アドレス電極ライン３６１，３６２の間の放電セルの一部を開口した領域、例えば、ウィンドウ３６４を有するほどのサイズで形成されることが望ましい。前記ウィンドウ３６４は、パネル３００のＹ方向に沿って各放電セル別に配置された連結ライン３６３の間に形成されており、四角形に形成されている。
【００６１】
また、前記ウィンドウ３６４は、赤、緑、青色の蛍光体層３９０が塗布された放電空間内でパネル３００のＹ方向に沿って同じ位置に配列されておらず、ジグザグ状に交互に形成されている。
【００６２】
このようにウィンドウ３６４を形成させることは、放電セル内でアドレス電極３６０の一部を除去し、これにより、前記アドレス電極３６０の全体面積を減らして、同じ電圧の印加時に消費電流を低めるためである。
【００６３】
このように、パネル３００のＹ方向に配置されたアドレス電極３６０は、第１及び第２アドレス電極ライン３６１，３６２とその間を連結する連結ライン３６３との結合と、各連結ライン３７３の間に存在するウィンドウ３６４によって、パネル３００のＹ方向に沿って梯形構造をなしている。
【００６４】
また、前記アドレス電極３６０は、赤、緑、青色の蛍光体層３９０が塗布された放電セル別に同じ形状を維持するものではなく、放電に相対的に不利な蛍光体層が塗布された放電セルに配置されたアドレス電極が、放電に相対的に有利な蛍光体層が塗布された放電セルに配置されたアドレス電極より幅が広く形成されて、不利な放電を補償している。
【００６５】
すなわち、放電に相対的に不利な緑色蛍光体層３９０Ｇに配置された第２アドレス電極３６０Ｇの連結ライン３６３Ｇの幅Ｗ２、及び青色蛍光体層３９０Ｂに配置された第３アドレス電極３６０Ｂの連結ライン３６３Ｂの幅Ｗ３は、放電に相対的に有利な赤色蛍光体層３９０Ｒに配置された第１アドレス電極３６０Ｒの連結ライン３６３Ｒの幅Ｗ１より広く形成されている。
【００６６】
これにより、Ｙ電極３３２の突出部３３２ｃと対応する所に配置されて、これとアドレッシングされる電極の面積は、点線で表示したように、緑色及び青色蛍光体層３９０Ｇ，３９０Ｂが塗布された放電セルに配置された第２及び第３アドレス電極３６０Ｇ，３６０Ｂの連結ライン３６３Ｇ，３６３Ｂが、赤色蛍光体層３９０Ｒが塗布された放電セルに配置された第１アドレス電極３６０Ｒの連結ライン３６３Ｒより、相対的に広く形成されている。
【００６７】
また、緑色及び青色蛍光体層３９０Ｇ，３９０Ｂが塗布された放電セルに形成されたウィンドウ３６４Ｇ，３６４Ｂは、連結ラインの幅が広くなることとは違って、赤色蛍光体層３９０Ｒが塗布された放電セルに形成されたウィンドウ３６４Ｒより相対的に狭く形成されている。
【００６８】
このような方式で、赤、緑、青色の蛍光体層３９０Ｒ，３９０Ｇ，３９０Ｂが塗布された放電セルでの放電特性を実質的に同一に調節できる。
【００６９】
前記のような構造を有するＰＤＰ ３００の作用を説明すれば、次の通りである。
【００７０】
まず、外部の電源からアドレス電極３６０とＹ電極３３２との間に所定のパルス電圧が印加されれば、発光する放電セルが選択される。選択された放電セルの内面には、壁電荷が蓄積される。
【００７１】
このとき、前記アドレス電極３６０は、各放電セル別にストライプ型の複数のアドレス電極ライン３６１，３６２と、これらを互いに連結させる連結ライン３６３と、連結ライン３６３の間に形成された開口状のウィンドウ３６４と、を含んでいる。
【００７２】
また、赤、緑、青色の蛍光体層３９０Ｒ，３９０Ｇ，３９０Ｂが塗布された放電セルに配置されたアドレス電極３６０は、各アドレス電極３６０Ｒ，３６０Ｇ，３６０Ｂ別に異なるサイズのウィンドウ３６４Ｒ，３６４Ｇ，３６４Ｂを形成している。
【００７３】
このように、赤、緑、青色の蛍光体層３９０Ｒ，３９０Ｇ，３９０Ｂが塗布された放電セルに配置された複数のアドレス電極３６０Ｒ，３６０Ｇ，３６０Ｂは、相互に対する電場の干渉を最小化するために、Ｙ電極３３２と対応する部分の突出部３６３Ｒ，３６３Ｇ，３６３Ｂの面積を減らすことによって、誤放電を防止し、相対的に放電が不利な放電セルの放電特性を補償することができる。
【００７４】
次いで、Ｘ電極３３１に“＋”電圧が印加され、Ｙ電極３３２にそれより相対的に高い電圧が印加され、Ｘ電極３３１とＹ電極３３２との間に印加された電圧差によって壁電荷が移動する。
【００７５】
壁電荷の移動によって、放電セル内の放電ガス原子と衝突しつつ、放電を起こしてプラズマを生成させ、このような放電は、相対的に強い電界が形成されたＸ電極３３１とＹ電極３３２との間から始まって、前記Ｘ及びＹ電極３３１，３３２の外側に拡大される。
【００７６】
このような方式で、放電が形成された後には、Ｘ電極３３１とＹ電極３３２との電圧差が放電電圧より低くなれば、放電は、それ以上発生せず、空間電荷及び壁電荷が放電セルに形成される。
【００７７】
このとき、Ｘ及びＹ電極３３１，３３２に印加された電圧の極性を互いに変えれば、壁電荷の助けを受けて放電が再び発生する。このように、Ｘ及びＹ電極３３１，３３２の極性を直ぐ変えれば、最初の放電過程が反復する。このような過程を反復しつつ、放電が安定的に発生する。
【００７８】
このとき、放電によって生成された紫外線は、各放電セルに塗布されている蛍光体層３９０Ｒ，３９０Ｇ，３９０Ｂの蛍光物質を励起させる。このような過程を通じて、可視光を得る。生成された可視光は、放電セルに放出されて静止画像または動画を具現する。
【００７９】
本発明は、図面に示された実施形態を参考として説明されたが、これは例示的なものに過ぎず、当業者ならば、これから多様な変形及び均等な他の実施形態が可能であることが分かる。したがって、本発明の真の技術的保護範囲は、特許請求の範囲の技術的思想によって決定されねばならない。
【産業上の利用可能性】
【００８０】
本発明は、アドレッシングされる電極の面積を最小化して誤放電を防止し、アドレッシング時に低電流駆動が可能なアドレス電極の構造を改善したＰＤＰに関連した技術分野に適用可能である。
【図面の簡単な説明】
【００８１】
【図１】従来の放電電極の主要部分拡大図である。
【図２】図１の電極が採用されたＰＤＰを示す断面図である。
【図３】本発明の第１実施形態によるＰＤＰを一部切り取って示す分離斜視図である。
【図４】図３の放電電極の主要部分拡大図である。
【符号の説明】
【００８２】
３００    ＰＤＰ
３１０    前面基板
３２０    背面基板
３３１    Ｘ電極
３３１ａ    第１透明電極ライン
３３１ｂ    第１バス電極ライン
３３１ｃ    第１突出部
３３２    Ｙ電極
３３２ａ    第２透明電極ライン
３３２ｂ    第２バス電極ライン
３３２ｃ    第２突出部
３４０    前面誘電体層
３５０    保護膜層
３６０    アドレス電極
３７０    背面誘電体層
３８０    隔壁
３８１    第１隔壁
３８２    第２隔壁
３９０    蛍光体層
【図１】
2006120609.tif 000003
【図２】
2006120609.tif 000004
【図３】
2006120609.tif 000005
【図４】
2006120609.tif 000006